(57)【特許請求の範囲】
【請求項１】
第１の固定子と、
前記第１の固定子と対向する第２の固定子と、
前記第１の固定子と前記第２の固定子との間にギャップを介して配置され、回転軸を中心に回転する回転子と、を備え、
前記第１の固定子は、
複数の永久磁石と、
環状に形成される第１の界磁巻線と、
前記回転軸の周方向に並ぶ複数の極ティースと、を備え、
前記第２の固定子は、
ティースと前記ティースに装着される電機子巻線とを各々含み、前記回転軸の周方向に並ぶ複数の電磁石と、
環状に形成される第２の界磁巻線と、を備え、
前記第１の界磁巻線は、
前記複数の永久磁石および前記複数の極ティースと前記回転軸との間に前記回転軸と垂直な同一平面上に配置され、
前記第２の界磁巻線は、
前記複数の電磁石と前記回転軸との間に前記回転軸と垂直な同一平面上に配置され、
前記第１の界磁巻線および前記第２の界磁巻線の各々への通電と前記複数の永久磁石とによって前記複数の極ティースに複数の界磁極が形成され、
前記複数の界磁極の各々は、前記複数の永久磁石のうちの１つの永久磁石または前記複数の極ティースのうちの１つの極ティースのみによって形成され、前記１つの永久磁石と前記１つの極ティースとが前記周方向に交互に間隔を空けて配置されて前記複数の界磁極が形成されており、
前記複数の永久磁石は互いの極性が同一である
ことを特徴とするハイブリッド界磁式ダブルギャップ同期機。
【請求項２】
前記第１の界磁巻線と前記第２の界磁巻線とは互いに同じ方向に巻かれており、前記第１の界磁巻線と前記第２の界磁巻線とは直列に接続される
ことを特徴とする請求項１に記載のハイブリッド界磁式ダブルギャップ同期機。
【請求項３】
前記回転子は、
前記回転軸の周方向に並び複数の突極を形成する複数の鉄片と、
前記複数の鉄片を保持する非磁性体の保持ディスクと、を備え、
前記回転軸の延在方向における前記保持ディスクの厚みは、前記回転軸の延在方向における前記複数の鉄片の厚みより薄い
ことを特徴とする請求項１または２に記載のハイブリッド界磁式ダブルギャップ同期機。
【請求項４】
前記回転子は、
前記回転軸の周方向に並び複数の突極を形成する複数の鉄片と、
前記複数の鉄片を保持する非磁性体の保持ディスクと、を備え、
前記複数の鉄片の各々は、
前記保持ディスクから突出する部分の各辺が面取りされる
ことを特徴とする請求項１または２に記載のハイブリッド界磁式ダブルギャップ同期機。
【請求項５】
前記回転子は、
前記回転軸の周方向に並び複数の突極を形成する複数の鉄片と、
前記複数の鉄片を保持する非磁性体の保持ディスクと、を備え、
前記保持ディスクは、
非磁性の金属によって形成され、当該保持ディスクの外周縁から前記複数の鉄片のうち対応する鉄片にかけて各々形成された複数のスリットを備える
ことを特徴とする請求項１または２に記載のハイブリッド界磁式ダブルギャップ同期機。
【請求項６】
前記複数の極ティースの各々は、
前記複数の電磁石のうち対応する電磁石のティースと前記回転軸の延在方向において対向する位置に配置される
ことを特徴とする請求項１から５のいずれか１つに記載のハイブリッド界磁式ダブルギャップ同期機。
【請求項７】
前記複数の極ティースの各々は、
前記複数の電磁石のうち対応する電磁石のティースと前記回転軸の延在方向において対向する位置からずれた位置に配置される
ことを特徴とする請求項１から６のいずれか１つに記載のハイブリッド界磁式ダブルギャップ同期機。
【請求項８】
請求項１から７のいずれか１つに記載のハイブリッド界磁式ダブルギャップ同期機と、
前記ハイブリッド界磁式ダブルギャップ同期機を駆動する駆動回路と、を備え、
前記駆動回路は、
前記回転子の回転速度に応じて、前記第１の界磁巻線および前記第２の界磁巻線に流す直流電流の極性を変更する
ことを特徴とする駆動システム。
【発明の詳細な説明】
【技術分野】
【０００１】
本開示は、第１の固定子と第２の固定子との間に回転子が設けられるハイブリッド界磁式ダブルギャップ同期機および駆動システムに関する。
【背景技術】
【０００２】
従来、駆動用モータとして永久磁石式回転電機が広く用いられている。ＥＶ（Electric  Vehicle）などに用いられる駆動用モータは、広範囲の運転領域が要求されており、低速域では高トルクを出力するために磁石の界磁を強め、高速域では電圧飽和を緩和させるために磁石の界磁を弱めることが求められる。【０００３】
そこで、磁石と界磁巻線とを組み合わせ、動作点に応じて界磁量を調整することで、広範囲の運転領域を実現することができる可変界磁モータに関する技術が開発されている。かかる可変界磁モータとして、特許文献１には、界磁巻線および永久磁石を有する第１の固定子と、複数の電磁石を有する第２の固定子との間に回転子が設けられるハイブリッド界磁式ダブルギャップ同期機が知られている。
【先行技術文献】
【特許文献】
【０００４】
【特許文献１】特開２０１９−１４９８９１号公報
【発明の概要】
【発明が解決しようとする課題】
【０００５】
しかしながら、上記特許文献１に記載の技術では、第１の固定子において、１つの環状の界磁巻線の内周側および外周側の各々に界磁極が配置される。したがって、界磁巻線に供給される界磁電流による磁束の経路は、界磁巻線の外周側に配置される界磁極、回転子の鉄片、第２の固定子、回転子の鉄片、および界磁巻線の内周側に配置される界磁極を順に通る経路になるため、回転子の鉄心の面積に対して回転子の鉄心を磁束が通過する面積が小さい。そのため、界磁巻線によって発生する界磁磁束が低く、動作点に応じた界磁量の調整幅が小さいといった課題がある。【０００６】
本開示は、上記に鑑みてなされたものであって、界磁量の調整幅を大きくすることができるハイブリッド界磁式ダブルギャップ同期機を得ることを目的とする。
【課題を解決するための手段】
【０００７】
上述した課題を解決し、目的を達成するために、本開示に係るハイブリッド界磁式ダブルギャップ同期機は、第１の固定子と、第２の固定子と、回転子と、を備える。第２の固定子は、第１の固定子と対向する。回転子は、第１の固定子と第２の固定子との間にギャップを介して配置され、回転軸を中心に回転する。第１の固定子は、複数の永久磁石と、第１の界磁巻線と、複数の極ティースと、を備える。第１の界磁巻線は、環状に形成される。複数の極ティースは、回転軸の周方向に並ぶ。第２の固定子は、複数の電磁石と、第２の界磁巻線と、を備える。複数の電磁石は、ティースとティースに装着される電機子巻線とを各々含み、回転軸の周方向に並ぶ。第２の界磁巻線は、環状に形成される。第１の界磁巻線は、複数の永久磁石および複数の極ティースと回転軸との間に回転軸と垂直な同一平面上に配置される。第２の界磁巻線は、複数の電磁石と回転軸との間に回転軸と垂直な同一平面上に配置される。第１の界磁巻線および第２の界磁巻線への通電および複数の永久磁石によって複数の極ティースに複数の界磁極が形成される。複数の界磁極の各々は、複数の永久磁石のうちの１つの永久磁石または複数の極ティースのうちの１つの極ティースのみによって形成され、１つの永久磁石と１つの極ティースとが周方向に交互に間隔を空けて配置されて複数の界磁極が形成されている。複数の永久磁石は互いの極性が同一である。
【発明の効果】
【０００８】
本開示に係るハイブリッド界磁式ダブルギャップ同期機は、界磁量の調整幅を大きくすることができる、という効果を奏する。
【図面の簡単な説明】
【０００９】
【図１】実施の形態１にかかるハイブリッド界磁式ダブルギャップ同期機の一例を示す斜視図
【図２】実施の形態１にかかるハイブリッド界磁式ダブルギャップ同期機の分解斜視図
【図３】実施の形態１にかかる第１の固定子の構成の一例を示す斜視図
【図４】図３に示す第１の固定子に軸受を介して回転軸を接続した状態を示す斜視図
【図５】実施の形態１にかかる第２の固定子の構成の一例を示す斜視図
【図６】図２に示す回転子とは異なる構成の回転子の一例を示す斜視図
【図７】図２に示す回転子とは異なる構成の回転子の他の例を示す斜視図
【図８】図２に示す回転子とは異なる構成の回転子のさらに他の例を示す斜視図
【図９】実施の形態１にかかるハイブリッド界磁式ダブルギャップ同期機を含む駆動システムの一例を示す図
【図１０】実施の形態１にかかる第１の固定子の極ティースと第２の固定子のティースとの相対角を説明するための図
【図１１】実施の形態１にかかる第１の界磁巻線および第２の界磁巻線へ通電された場合についてのハイブリッド界磁式ダブルギャップ同期機の磁路を説明するための図
【図１２】実施の形態１にかかる第２の固定子における電機子巻線に発生する逆起電圧の一例を示す図
【発明を実施するための形態】
【００１０】
以下に、実施の形態に係るハイブリッド界磁式ダブルギャップ同期機および駆動システムを図面に基づいて詳細に説明する。なお、この実施の形態により本開示が限定されるものではない。
【００１１】
実施の形態１．
図１は、実施の形態１にかかるハイブリッド界磁式ダブルギャップ同期機の一例を示す斜視図である。図２は、実施の形態１にかかるハイブリッド界磁式ダブルギャップ同期機の分解斜視図である。
【００１２】
図１および図２に示すように、ハイブリッド界磁式ダブルギャップ同期機１は、第１の固定子１０と、第２の固定子２０と、回転子３０と、回転軸４０とを備える。第１の固定子１０と第２の固定子２０は、回転軸４０の延在方向において、互いに対向する。以下、回転軸４０の延在方向を回転軸方向と記載する場合がある。
【００１３】
回転子３０は、回転軸方向において第１の固定子１０と第２の固定子２０との中間位置に配置される。回転子３０は、回転軸４０に固定され、回転軸４０を中心に回転する。回転子３０は、不図示のハウジングに回転可能に支持される。第１の固定子１０と回転子３０との間にはギャップが設けられ、回転子３０と第２の固定子２０との間にもギャップが設けられる。このように、回転子３０は回転軸方向において第１の固定子１０および第２の固定子２０の各々とギャップを介して対向する。
【００１４】
第１の固定子１０、第２の固定子２０、および回転子３０の各々は、円筒状に形成される。第１の固定子１０および第２の固定子２０の各々は、２つの軸受５０のうち対応する軸受５０を介して回転軸４０に取り付けられる。なお、図２において、第１の固定子１０と回転軸４０との間に設けられる軸受５０は見えない位置にある。
【００１５】
図３は、実施の形態１にかかる第１の固定子の構成の一例を示す斜視図である。図３に示すように、第１の固定子１０は、第１の固定子コア１１と、複数の永久磁石１２と、第１の界磁巻線１３とを備える。
【００１６】
第１の固定子コア１１は、複数の電磁鋼板が積層されて構成される。第１の固定子コア１１を構成する複数の電磁鋼板は、例えば、回転軸方向の磁束を妨げにくくなるように回転軸４０の周方向に積層される。なお、第１の固定子コア１１は、回転軸方向に積層された複数の電磁鋼板で構成されてもよい。なお、回転軸４０の周方向は、回転子３０の回転方向であり、以下、単に周方向と記載する場合がある。
【００１７】
第１の固定子コア１１は、周方向に間隔を空けて配置される複数の極ティース１１ａと、複数の極ティース１１ａを連結するコアバック部１１ｂとを備える。複数の極ティース１１ａは、周方向に並べて配置される。各極ティース１１ａは、回転軸方向に向けて突出する形状を有しており、径方向には分割されていない。また、複数の極ティース１１ａは、各々個別の部品であってもよく、また、一塊のコアを加工した一体部品であってもよい。
【００１８】
各極ティース１１ａは、回転軸方向から見て内周側の領域よりも外周側の領域における周方向の長さが長い。換言すれば、各極ティース１１ａは、回転軸方向から見て回転軸４０から遠くなるほど周方向の長さが長くなる形状を有する。
【００１９】
第１の固定子コア１１のコアバック部１１ｂは、軟磁性材料で形成されることで、回転軸方向に対して垂直な面に沿った方向に磁束の移動が可能になる。第１の固定子コア１１の材料は、アモルフォスなどの等方性の磁性材料とすることも可能である。第１の固定子コア１１に等方性の磁性材料を使用することで、第１の固定子コア１１における鉄損を低減することができる。
【００２０】
周方向に並ぶ複数の極ティース１１ａのうち周方向に１つ置きの極ティース１１ａに永久磁石１２が配置される。すなわち、第１の固定子コア１１では、永久磁石１２が配置される極ティース１１ａと永久磁石１２が配置されない極ティース１１ａとが周方向に交互に配置される。複数の永久磁石１２の磁極は、すべて同じ極性であり、図３に示す例では、すべてＮ極である。永久磁石１２が各々配置されない複数の極ティース１１ａには、第１の界磁巻線１３および後述する第２の界磁巻線２３の各々への通電と複数の永久磁石１２とによって極性がＳ極である界磁極が形成される。なお、永久磁石１２がＳ極である場合、永久磁石１２が各々配置されない複数の極ティース１１ａには、第１の界磁巻線１３および第２の界磁巻線２３の各々への通電と複数の永久磁石１２とによって極性がＮ極である界磁極が形成される。
【００２１】
各永久磁石１２は、ネオジム磁石といった焼結磁石またはフェライト磁石である。また、永久磁石１２が配置された極ティース１１ａの回転軸方向における高さは、永久磁石１２が配置されない極ティース１１ａの回転軸方向における高さよりも、永久磁石１２の回転軸方向における高さの分だけ低いことが望ましい。すなわち、永久磁石１２と極ティース１１ａとの組み合わせの回転軸方向における高さが、永久磁石１２が配置されていない極ティース１１ａの回転軸方向における高さとが同一になることが望ましい。これにより、第１の固定子１０に形成される界磁極と回転子３０との間のギャップの距離を均一にすることができる。また、永久磁石１２の磁束が極ティース１１ａに鎖交することにより極ティース１１ａに疑似的な極が形成される。
【００２２】
回転軸方向で互いに対向する極ティース１１ａと永久磁石１２とによって界磁極形成部１４が構成される。すなわち、永久磁石１２が配置される極ティース１１ａと永久磁石１２とによって界磁極形成部１４が構成される。界磁極形成部１４は、極ティース１１ａの磁極と永久磁石１２の磁極とによって界磁極を形成する。このように、界磁極形成部１４では、極ティース１１ａと永久磁石１２とが共通の界磁極を形成する。
【００２３】
また、第１の界磁巻線１３は、円環状に形成されており、回転軸方向において、複数の永久磁石１２および複数の極ティース１１ａの各々よりも回転軸４０に近い位置に配置される。より具体的には、第１の界磁巻線１３は、複数の永久磁石１２および複数の極ティース１１ａと回転軸４０との間に配置される。これにより、ハイブリッド界磁式ダブルギャップ同期機１において、限定された体積を有効に利用することができる。また、第１の界磁巻線１３は、円環状に形成されるため製造が容易である。
【００２４】
また、第１の界磁巻線１３は、極ティース１１ａおよび永久磁石１２が径方向に分割することなく配置される。そのため、例えば、第１の固定子１０は、径方向に分割された極ティース間に界磁巻線が配置される場合に比べて、回転子３０との間のギャップ面に対して極ティース１１ａおよび永久磁石１２の面積を大きくとることができる。
【００２５】
図４は、図３に示す第１の固定子に軸受を介して回転軸を接続した状態を示す斜視図である。図４に示すように、第１の固定子１０は、軸受５０を介して回転軸４０に接続される。回転軸４０には軸力が加わるため、回転軸４０は、例えば、鉄などの軟磁性材料によって構成される。また、回転軸４０には、永久磁石１２による磁束に加え、第１の界磁巻線１３による磁束および後述する第２の界磁巻線２３の磁束が回転軸方向に通過するため、磁気飽和の発生しないように十分な径を有する。
【００２６】
次に、第２の固定子２０について説明する。図５は、実施の形態１にかかる第２の固定子の構成の一例を示す斜視図である。図５に示すように、第２の固定子２０は、第２の固定子コア２１と、複数の電機子巻線２２と、第２の界磁巻線２３とを備える。
【００２７】
第２の固定子コア２１は、周方向に分割された複数のティース２１ａと、複数のティース２１ａを連結するヨーク部２１ｂとを備える。複数のティース２１ａのうち対応するティース２１ａと複数の電機子巻線２２のうち対応する電機子巻線２２とで各々電磁石２４が形成される。
【００２８】
複数のティース２１ａを構成する複数の電磁鋼板は、周方向に積層される。また、ヨーク部２１ｂは、回転軸方向に積層される。なお、図１および図５に示す例では、複数のティース２１ａおよびヨーク部２１ｂは互いに別体で形成されるが、複数のティース２１ａおよびヨーク部２１ｂは、圧粉鉄心などを利用することによって、一体部品として形成されてもよい。
【００２９】
複数の電機子巻線２２の各々は、複数のティース２１ａのうち対応するティース２１ａに巻線の軸方向を回転軸方向と一致させた状態で装着される。複数の電機子巻線２２は、３相電機子巻線であり、Ｕ相の電機子巻線２２、Ｖ相の電機子巻線２２、およびＷ相の電機子巻線２２の各々を複数含む。複数のティース２１ａには、周方向にＵ相の電機子巻線２２、Ｖ相の電機子巻線２２、およびＷ相の電機子巻線２２の順に繰り返し装着される。複数の電機子巻線２２は各々別体であるため、巻線治具などにより形成された空芯の複数の電機子巻線２２の各々を複数のティース２１ａのうち対応するティース２１ａに装着した後に、複数の電機子巻線２２を結線することもできる。
【００３０】
第２の界磁巻線２３は、複数の電磁石２４よりも回転軸４０に近い位置に配置される。より具体的には、第２の界磁巻線２３は、複数の電磁石２４と回転軸４０との間に配置される。これにより、ハイブリッド界磁式ダブルギャップ同期機１において、限定された体積を有効に利用することができる。また、第２の界磁巻線２３は、電機子巻線２２と同様に、巻線治具などにより空芯巻線として形成され、第２の固定子２０に装着される構成であってもよい。
【００３１】
次に、回転子の構成について説明する。図２に示すように、回転子３０は、周方向に並び且つ複数の突極のうち対応する突極を各々形成する複数の鉄片３１と、複数の鉄片３１を保持する非磁性体の保持ディスク３２とを備える。
【００３２】
鉄片３１は、磁性材料によって形成されており、例えば、複数の電磁鋼板で構成される。これら複数の電磁鋼板は、例えば、周方向に積層される。また、鉄片３１は、鉄片３１に発生する鉄損を低減することを目的として、圧粉鉄心によって構成されてもよい。なお、鉄片３１の数は、突極の数と同じであるが、図２に示す例に限定されない。
【００３３】
保持ディスク３２は、非磁性材料で形成されており、例えば、高強度の樹脂などで形成される。保持ディスク３２に剛性が要求される場合などにおいて、保持ディスク３２は、ステンレス材などの非磁性の金属などで形成されてもよい。図２に示す例では、回転軸方向における保持ディスク３２の厚みは、回転軸方向における複数の鉄片３１の厚みと同じである。
【００３４】
また、保持ディスク３２には、複数のスリット３３が形成される。複数のスリット３３の各々は、保持ディスク３２の外周縁から複数の鉄片３１のうち対応する鉄片３１にかけて形成される。複数のスリット３３によって、保持ディスク３２における渦電流の発生を抑制することができる。
【００３５】
回転子３０の構成は、図２に示す例に限定されない。図６は、図２に示す回転子とは異なる構成の回転子の一例を示す斜視図である。図７は、図２に示す回転子とは異なる構成の回転子の他の例を示す斜視図である。図８は、図２に示す回転子とは異なる構成の回転子のさらに他の例を示す斜視図である。
【００３６】
図６に示す回転子３０では、回転軸方向における保持ディスク３２の厚みは、回転軸方向における複数の鉄片３１の厚みより薄い。これにより、保持ディスク３２を金属で構成しても渦電流の発生を抑制することができる。なお、図６に示す回転子３０の保持ディスク３２には図２に示す複数のスリット３３が設けられていない。
【００３７】
また、図７に示す回転子３０では、複数の鉄片３１の各々は、保持ディスク３２から突出する部分の各辺が面取りされる。これにより、鉄片３１の角部にて発生する鉄損の発生を抑制することができる。なお、図６に示す回転子３０の保持ディスク３２には図２に示す複数のスリット３３が設けられていない。また、図７に示す回転子３０では、回転軸方向における保持ディスク３２の厚みは、回転軸方向における複数の鉄片３１の厚みより薄い。
【００３８】
また、図８に示す回転子３０では、保持ディスク３２は、非磁性の金属によって形成され、図８に示すように、保持ディスク３２の外周縁から複数の鉄片３１のうち対応する鉄片３１にかけて各々形成された複数のスリット３３を備える。これにより、保持ディスク３２において渦電流の発生を抑制することができる。なお、図８に示す回転子３０では、回転軸方向における保持ディスク３２の厚みは、回転軸方向における複数の鉄片３１の厚みより薄く、複数の鉄片３１の各々は、保持ディスク３２から突出する部分の各辺が面取りされる。
【００３９】
次に、実施の形態１にかかるハイブリッド界磁式ダブルギャップ同期機に電力を供給する駆動回路を含めた駆動システムについて説明する。図９は、実施の形態１にかかるハイブリッド界磁式ダブルギャップ同期機を含む駆動システムの一例を示す図である。
【００４０】
図９に示すように、実施の形態１にかかる駆動システム１００は、ハイブリッド界磁式ダブルギャップ同期機１と、ハイブリッド界磁式ダブルギャップ同期機１を駆動する駆動回路１１０とを備える。駆動回路１１０は、直流電源１１１と、インバータ回路１１２と、３相交流電源１１３とを備える。ハイブリッド界磁式ダブルギャップ同期機１の第１の界磁巻線１３と第２の界磁巻線２３とは直列に結線されており、直流電源１１１から界磁電流Ｉｆが供給される。第１の界磁巻線１３と第２の界磁巻線２３とは回転軸方向から見て互いに同じ方向に巻かれている。
【００４１】
第２の固定子２０において、Ｕ相の電機子巻線２２、Ｖ相の電機子巻線２２、およびＷ相の電機子巻線２２がＹ結線で接続される。電機子巻線２２には、インバータ回路１１２から電機子電流が供給される。インバータ回路１１２は、３相交流電源１１３に接続され、３相交流電源１１３から供給される電力に基づいて、電機子電流を複数の電機子巻線２２へ供給する。なお、インバータ回路１１２への電力は、直流電源であるバッテリから供給されてもよい。
【００４２】
次に、ハイブリッド界磁式ダブルギャップ同期機１の動作について説明する。ここでは、ハイブリッド界磁式ダブルギャップ同期機１が電動機として動作する場合のハイブリッド界磁式ダブルギャップ同期機１の動作を説明する。
【００４３】
まず、永久磁石１２の界磁磁束について説明する。第１の固定子１０は第１の界磁巻線１３を有し第２の固定子２０は第２の界磁巻線２３を有するが、第１の固定子１０は界磁源である永久磁石１２を含む。そのため、ハイブリッド界磁式ダブルギャップ同期機１において、第１の界磁巻線１３および第２の界磁巻線２３への通電の有無に関係なく、永久磁石１２によって界磁磁束が生じる。
【００４４】
永久磁石１２による界磁磁束は、第１の固定子１０と回転子３０との間のギャップを介して、回転子３０の鉄片３１を通過する。一方、第１の界磁巻線１３および第２の界磁巻線２３による界磁磁束は、各永久磁石１２の位置を避けた磁路を通る。そのため、第１の界磁巻線１３および第２の界磁巻線２３による起磁力および永久磁石１２の起磁力は磁気回路において並列となる。
【００４５】
第１の固定子１０には、永久磁石１２が配置される極ティース１１ａと永久磁石１２が配置されない極ティース１１ａとが周方向に交互に配置されており、永久磁石１２の数は、図２〜図４に示す例では、６個である。永久磁石１２の界磁磁束は、永久磁石１２が配置されていない極ティース１１ａを介して永久磁石１２に戻る経路を通るため、第１の固定子１０では、永久磁石１２の界磁磁束によって１２極の界磁極が形成される。
【００４６】
ここで、第１の固定子１０の極ティース１１ａと第２の固定子２０のティース２１ａとの相対角αについて説明する。図１０は、実施の形態１にかかる第１の固定子の極ティースと第２の固定子のティースとの相対角を説明するための図である。
【００４７】
図１０において、仮想線Ｌ１は、回転軸４０の回転中心と極ティース１１ａの周方向における中心とを結ぶ線を含む直線であり、第１の固定子１０の径方向に極ティース１１ａが延在する方向を示す。仮想線Ｌ２は、回転軸４０の回転中心とティース２１ａの周方向における中心とを結ぶ線を含む直線であり、第２の固定子２０の径方向にティース２１ａが延在する方向を示す。第１の固定子１０の極ティース１１ａと第２の固定子２０のティース２１ａとの相対角αは、回転軸方向から見た場合に仮想線Ｌ１と仮想線Ｌ２とが為す角を示す。
【００４８】
図１０に示す例では相対角αが０［ｄｅｇ］である。相対角αが０［ｄｅｇ］である場合、第１の固定子１０の極ティース１１ａと第２の固定子２０のティース２１ａとが回転軸方向において互いに対向する位置にある。
【００４９】
相対角αは０［ｄｅｇ］に限定されない。すなわち、第１の固定子１０の極ティース１１ａと第２の固定子２０のティース２１ａとが回転軸方向から見た場合に互いにずれた位置にあってもよい。相対角αを変えることによってギャップパーミアンスが変化するため、相対角αを調整することによって、逆起電圧の歪みの改善またはコギングトルクを低減させることができ、平均トルクを向上させることができる。
【００５０】
次に、第１の界磁巻線１３および第２の界磁巻線２３へ通電された場合についてのハイブリッド界磁式ダブルギャップ同期機１の動作について説明する。図１１は、実施の形態１にかかる第１の界磁巻線および第２の界磁巻線へ通電された場合についてのハイブリッド界磁式ダブルギャップ同期機の磁路を説明するための図である。
【００５１】
上述したように第１の界磁巻線１３と第２の界磁巻線２３とは回転軸方向から見て互いに同じ方向に巻かれている。そのため、第１の界磁巻線１３と第２の界磁巻線２３とに直流電流である界磁電流Ｉｆが供給された場合、第１の界磁巻線１３および第２の界磁巻線２３によって回転軸方向の界磁磁束が発生する。
【００５２】
第１の界磁巻線１３および第２の界磁巻線２３によって発生した界磁磁束は、図１１に示すように、回転軸４０を通過し、第１の固定子１０のコアバック部１１ｂを介して極ティース１１ａに鎖交する。このように、第１の界磁巻線１３の内周よりも回転軸４０側の領域を磁路として有効に利用できるため、界磁磁束に対して磁路の面積を広くとることができ、磁気抵抗を減少させることができる。また、極ティース１１ａは、永久磁石１２の界磁磁束の磁路も兼ねる。
【００５３】
第１の固定子１０と回転子３０との間のギャップにおいて第１の界磁巻線１３および第２の界磁巻線２３によって発生した界磁磁束と永久磁石１２によって発生した界磁磁束とが並列に鎖交することで、第１の固定子１０に複数の界磁極が形成される。図１および図２に示す例では、第１の固定子１０に１２極の界磁極が形成される。
【００５４】
第１の固定子１０に形成される１２極の界磁極は、図１１に示すように、回転子３０における１０個の突極を形成する複数の鉄片３１を通過した際に変調される。これにより、回転子３０には、８極の磁極が形成される。また、第２の固定子２０において各電機子巻線２２への電流が供給されると、第２の固定子２０と回転子３０との間のギャップに回転磁界が生じる。かかる回転磁界が界磁極と同期することによって、回転子３０にトルクが発生し、回転子３０が回転する。
【００５５】
ここで、第１の固定子１０に形成される界磁極の極数は１２である。したがって、界磁極の極対数Ｐｆは６である。また、電機子巻線２２によってギャップに発生する回転磁界の極対数Ｐａは４である。また、回転子３０の突極の数Ｐｒは１０である。具体的には、回転子３０の突極の極対数は１０であり極数は２０である。したがって、実施の形態１のハイブリッド界磁式ダブルギャップ同期機１では、Ｐｒ＝Ｐａ＋Ｐｆの関係が満たされる。ハイブリッド界磁式ダブルギャップ同期機１は、Ｐｒ＝Ｐａ＋Ｐｆの関係を満たす場合、トルクを高めることができる。なお、界磁極の極対数Ｐｆ、回転磁界の極対数Ｐａ、および回転子３０の突極の数Ｐｒは、上述した例に限定されない。
【００５６】
次に、ハイブリッド界磁式ダブルギャップ同期機１において、界磁電流Ｉｆを変化させることによって電磁気性能に与える影響について説明する。ここで、各永久磁石１２の極性をＮ極とする。また、界磁電流Ｉｆが供給された第１の界磁巻線１３および第２の界磁巻線２３による界磁磁束によって界磁極形成部１４の極ティース１１ａに形成される磁極の極性が界磁極形成部１４の永久磁石１２による磁極の極性と同じになる界磁電流Ｉｆの方向をプラス方向とする。
【００５７】
駆動回路１１０は、ハイブリッド界磁式ダブルギャップ同期機１の回転速度が低速域で大トルクが必要な場合、第１の界磁巻線１３および第２の界磁巻線２３にプラス方向の界磁電流Ｉｆを流す。これにより、Ｎ極である各永久磁石１２が配置されたティース２１ａの周方向における両側のティース２１ａにＳ極が発生する向きに界磁磁束が発生する。これにより、Ｎ極の起磁力が増加するため、界磁磁束が増加し、結果としてトルクが増加する。
【００５８】
回転子３０が回転すると、電機子巻線２２に永久磁石１２の磁束による逆起電圧が生じる。電機子巻線２２に発生する逆起電圧は、回転子３０の回転速度が増加するほど上昇する。回転子３０の回転速度が高速域となると、電機子巻線２２の端子間電圧が逆起電圧によって増加する。そのため、電機子巻線２２に電圧飽和が生じ、電機子巻線２２にそれ以上の大きさの電機子電流を流すことが難しい。
【００５９】
そのため、永久磁石１２による磁束を弱める必要がある。一般的に、永久磁石１２による界磁磁束を弱める方向に電機子巻線２２に電流を流すことで逆起電圧を減少させることができる。しかし、永久磁石１２による界磁磁束を弱める方向に電機子巻線２２に流す電流は、銅損および電源容量などの制約などによってその電流量に制限がある。
【００６０】
そこで、駆動回路１１０は、回転子３０の回転速度が高速域になった場合、第１の界磁巻線１３および第２の界磁巻線２３にマイナス方向の界磁電流Ｉｆを流す。これにより、Ｎ極である各永久磁石１２が設けられたティース２１ａの周方向における両側のティース２１ａにＮ極が発生する向きに界磁磁束が発生する。永久磁石１２による界磁磁束は極ティース１１ａにＳ極を作っているため、各界磁極における起磁力は減少する。その結果、界磁磁束は減少して電圧飽和が解消され、ハイブリッド界磁式ダブルギャップ同期機１において、高速域のトルクを発生させることができる。
【００６１】
図１２は、実施の形態１にかかる第２の固定子における電機子巻線に発生する逆起電圧の一例を示す図である。図１２に示す例では、界磁電流Ｉｆが２．５１［Ａ］、０［Ａ］、および−２．５１［Ａ］の各々の場合において電機子巻線２２に発生する逆起電圧がグラフで示される。図１２において、縦軸は、電機子巻線２２に発生する逆起電圧［Ｖ］を示し、横軸は、時間［ｍｓ］を示す。
【００６２】
図１２に示すように、第１の界磁巻線１３および第２の界磁巻線２３にプラス方向の界磁電流Ｉｆを流すことで、永久磁石１２による界磁磁束と第１の界磁巻線１３および第２の界磁巻線２３による界磁磁束とが強め合い、逆起電圧が増加する。また、第１の界磁巻線１３および第２の界磁巻線２３にマイナス方向の界磁電流Ｉｆを流すことで、永久磁石１２による界磁磁束と第１の界磁巻線１３および第２の界磁巻線２３による界磁磁束とが弱め合い、逆起電圧が減少し、逆起電圧の変化幅は小さい。そのため、ハイブリッド界磁式ダブルギャップ同期機１において、電圧飽和が解消され、高速域のトルクを発生させることができる。
【００６３】
このように、ハイブリッド界磁式ダブルギャップ同期機１において、第１の界磁巻線１３および第２の界磁巻線２３に流す界磁電流Ｉｆを調整することによって、界磁磁束を増減することができる。
【００６４】
以上のように、実施の形態１にかかるハイブリッド界磁式ダブルギャップ同期機１は、第１の固定子１０と、第１の固定子１０と対向する第２の固定子２０と、第１の固定子１０と第２の固定子２０との間にギャップを介して配置される回転子３０とを備える。回転子３０は、回転軸４０を中心に回転する。第１の固定子１０は、複数の永久磁石１２と、環状に形成される第１の界磁巻線１３と、回転軸４０の周方向に並ぶ複数の極ティース１１ａとを備える。第２の固定子２０は、ティース２１ａとティース２１ａに装着される電機子巻線２２とを各々含み、回転軸４０の周方向に並ぶ複数の電磁石２４と、環状に形成される第２の界磁巻線２３とを備える。そして、第１の界磁巻線１３は、複数の永久磁石１２および複数の極ティース１１ａと回転軸４０との間に配置され、第２の界磁巻線２３は、複数の電磁石２４と回転軸４０との間に配置される。第１の界磁巻線１３および第２の界磁巻線２３の各々への通電と複数の永久磁石１２とによって複数の極ティース１１ａに複数の界磁極が形成される。これにより、ハイブリッド界磁式ダブルギャップ同期機１は、第１の界磁巻線１３および第２の界磁巻線２３の内周よりも回転軸４０側の領域を磁路として有効に利用できる。そのため、界磁磁束に対して磁路の面積を広くとることができ、ハイブリッド界磁式ダブルギャップ同期機１の体積を有効に利用することができる。また、第１の界磁巻線１３および第２の界磁巻線２３の内周よりも回転軸４０側の領域を磁路として有効に利用できるため、永久磁石１２による界磁磁束と第１の界磁巻線１３および第２の界磁巻線２３による界磁磁束とが共に回転子３０の各鉄片３１に通過する面積が大きい。そのため、ハイブリッド界磁式ダブルギャップ同期機１は、第１の界磁巻線１３および第２の界磁巻線２３によって発生する界磁磁束を大きくでき、動作点に応じた界磁量の調整幅を大きくすることができる。
【００６５】
また、複数の永久磁石１２および複数の極ティース１１ａは回転軸４０の径方向に分割されていない。そして、回転軸４０は、複数の永久磁石１２、第１の界磁巻線１３、および第２の界磁巻線２３によって形成される界磁磁束の磁路の一部を構成する。このように、ハイブリッド界磁式ダブルギャップ同期機１は、複数の永久磁石１２および複数の極ティース１１ａは回転軸４０の径方向に分割されていない。そのため、第１の固定子１０は、径方向に分割された極ティース間に界磁巻線が配置される場合に比べて、回転子３０との間のギャップ面に対して複数の永久磁石１２および複数の極ティース１１ａの各々の面積を大きくすることができる。これにより、ハイブリッド界磁式ダブルギャップ同期機１は、第１の界磁巻線１３および第２の界磁巻線２３によって発生する界磁磁束を大きくでき、動作点に応じた界磁量の調整幅を大きくすることができる。
【００６６】
また、複数の永久磁石１２は、複数の極ティース１１ａのうち回転軸４０の周方向に１つ置きに配置される複数の極ティース１１ａに配置され、回転子３０と対向する。これにより、ハイブリッド界磁式ダブルギャップ同期機１は、複数の永久磁石１２の磁束によって複数の極ティース１１ａに界磁極を形成することができる。
【００６７】
また、複数の永久磁石１２の極性は互いに同一であり、複数の極ティース１１ａのうち複数の永久磁石１２が配置されない複数の極ティース１１ａには複数の永久磁石１２の極性とは異なる極性の複数の界磁極が形成される。これにより、ハイブリッド界磁式ダブルギャップ同期機１は、界磁磁束を大きくすることができ、動作点に応じた界磁量の調整幅を大きくすることができる。
【００６８】
また、回転子３０は、回転軸４０の周方向に並び複数の突極を形成する複数の鉄片３１と、複数の鉄片３１を保持する非磁性体の保持ディスク３２とを備える。そして、回転軸４０の延在方向である回転軸方向における保持ディスク３２の厚みは、回転軸方向における複数の鉄片３１の厚みより薄い。これにより、ハイブリッド界磁式ダブルギャップ同期機１は、例えば、保持ディスク３２を金属で構成しても渦電流の発生を抑制することができる。
【００６９】
また、複数の鉄片３１の各々は、保持ディスク３２から突出する部分の各辺が面取りされる。これにより、ハイブリッド界磁式ダブルギャップ同期機１は、鉄片３１の角部にて発生する鉄損の発生を抑制することができる。
【００７０】
また、保持ディスク３２は、非磁性の金属によって形成され、保持ディスク３２の外周縁から複数の鉄片３１のうち対応する鉄片３１にかけて各々形成された複数のスリット３３を備える。これにより、ハイブリッド界磁式ダブルギャップ同期機１は、保持ディスク３２において渦電流の発生を抑制することができる。
【００７１】
また、複数の極ティース１１ａの各々は、複数の電磁石２４のうち対応する電磁石２４のティース２１ａと回転軸方向において対向する位置に配置される。これにより、ハイブリッド界磁式ダブルギャップ同期機１は、複数の極ティース１１ａの各々と複数の電磁石２４のうち対応する電磁石２４のティース２１ａとの間に回転軸方向に沿った磁路を形成することができる。
【００７２】
また、複数の極ティース１１ａの各々は、複数の電磁石２４のうち対応する電磁石２４のティース２１ａと回転軸方向において対向する位置からずれた位置に配置される。これにより、ハイブリッド界磁式ダブルギャップ同期機１では、ギャップパーミアンスが変化するため、逆起電圧の歪みの改善またはコギングトルクを低減させることができ、平均トルクを向上させることができる。
【００７３】
また、実施の形態１にかかる駆動システム１００は、ハイブリッド界磁式ダブルギャップ同期機１と、ハイブリッド界磁式ダブルギャップ同期機１を駆動する駆動回路とを備える。駆動回路１１０は、回転子３０の回転速度に応じて、第１の界磁巻線１３および第２の界磁巻線２３に流す界磁電流Ｉｆの極性を変更する。界磁電流Ｉｆは、直流電流の一例である。これにより、駆動システム１００は、界磁量の調整幅を大きくすることができる。
【００７４】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略、変更することも可能である。
【符号の説明】
【００７５】
１  ハイブリッド界磁式ダブルギャップ同期機、１０  第１の固定子、１１  第１の固定子コア、１１ａ  極ティース、１１ｂ  コアバック部、１２  永久磁石、１３  第１の界磁巻線、１４  界磁極形成部、２０  第２の固定子、２１  第２の固定子コア、２１ａ  ティース、２１ｂ  ヨーク部、２２  電機子巻線、２３  第２の界磁巻線、２４  電磁石、３０  回転子、３１  鉄片、３２  保持ディスク、３３  スリット、４０  回転軸、５０  軸受、１００  駆動システム、１１０  駆動回路、１１１  直流電源、１１２  インバータ回路、１１３  ３相交流電源。
【要約】
ハイブリッド界磁式ダブルギャップ同期機（１）は、第１の固定子（１０）と、第２の固定子（２０）と、回転子（３０）とを備える。回転子（３０）は、第１の固定子（１０）と第２の固定子（２０）との間にギャップを介して配置され、回転軸（４０）を中心に回転する。第１の固定子（１０）は、複数の永久磁石（１２）と、第１の界磁巻線（１３）と、複数の極ティース（１１ａ）とを備える。第２の固定子（２０）は、複数の電磁石（２４）と、第２の界磁巻線（２３）とを備える。第１の界磁巻線（１３）は、複数の永久磁石（１２）および複数の極ティース（１１ａ）と回転軸（４０）との間に配置される。第２の界磁巻線（２３）は、複数の電磁石（２４）と回転軸（４０）との間に配置される。第１の界磁巻線（１３）および第２の界磁巻線（２３）の各々への通電および複数の永久磁石（１２）によって複数の極ティース（１１ａ）に複数の界磁極が形成される。【図１】
0006789451.tif 000002
【図２】
0006789451.tif 000003
【図３】
0006789451.tif 000004
【図４】
0006789451.tif 000005
【図５】
0006789451.tif 000006
【図６】
0006789451.tif 000007
【図７】
0006789451.tif 000008
【図８】
0006789451.tif 000009
【図９】
0006789451.tif 000010
【図１０】
0006789451.tif 000011
【図１１】
0006789451.tif 000012
【図１２】
0006789451.tif 000013